【手続補正書】
【提出日】平成17年11月29日(2005.11.29)
【手続補正１】
【補正対象書類名】明細書
【補正対象項目名】発明の名称
【補正方法】変更
【補正の内容】
【発明の名称】コンテンツ配信システムおよびコンテンツ配信方法
【手続補正２】
【補正対象書類名】明細書
【補正対象項目名】特許請求の範囲
【補正方法】変更
【補正の内容】
【特許請求の範囲】
【請求項１】制作装置とデリバリシステムと閲覧装置とから構成されるコンテンツ配信システムにおいて、前記制作装置がチケット設定手段とチケット管理手段とを具備し、前記閲覧装置がセキュア計時手段とチケット解釈手段と提示制御手段とを具備し、前記チケット設定手段がコンテンツｉｄと未認証タイムアウトと提示制御情報とからなるチケットを生成し、前記チケット管理手段が前記チケット設定手段の生成した前記チケットを格納し前記チケット解釈手段からの要求を受け付け前記チケットを前記チケット解釈手段に通知し、前記デリバリシステムが前記チケットを前記制作装置から前記閲覧装置に配信し、前記セキュア計時手段が悪意によっても改変出来ない計時情報を出力し、前記チケット解釈手段が前記チケット管理手段からの前記チケットと前記セキュア計時手段からの前記計時情報とを入力し提示制御情報を出力し、前記提示制御手段が前記チケット解釈手段の出力する前記提示制御情報とコンテンツとを入力し前記提示制御情報に従って提示を制限したコンテンツを変換出力する構成において、前記チケット解釈手段が最後に認証成功した時刻からの経過時間を前記計時情報から求め、前記経過時間が前記未認証タイムアウトを越えない場合にはチケットを解釈して提示制御情報を出力し、前記経過時間が前記未認証タイムアウトを越える場合には前記チケット解釈手段が前記チケット管理手段に認証情報を送り、前記チケット管理手段が送られた認証情報が正しいと判断した場合には認証成功をそれ以外の場合には認証失敗を前記チケット解釈手段に返し、前記チケット管理手段が新たなチケットがあれば前記解釈手段に送り、前記チケット解釈手段が前記チケット管理手段から認証成功を送られた場合には前記経過時間を０に戻すと共に最も新しいチケットを解釈して提示制御情報を出力することを特徴としたコンテンツ配信システム。
【請求項２】前記認証情報にコンテンツｉｄを含んでおり、前記チケット管理手段が新たなチケットがあれば前記解釈手段に送る際に前記認証情報に含まれるコンテンツｉｄに該当するチケットを送ることを特徴とした請求項１記載のコンテンツ配信システム。
【請求項３】前記閲覧装置がユーザ特定手段を具備し、前記チケットがユーザｉｄを含み、前記認証情報がユーザｉｄを含み、前記チケット管理手段が前記チケット情報を前記チケット解釈手段に送る際に前記認証情報に含まれるユーザｉｄの値が等しい前記チケットを選択して送ることを特徴とした請求項１乃至請求項２記載のコンテンツ配信システム。
【請求項４】前記デリバリシステムと複数の制作閲覧装置とを具備するコンテンツ配信システムにおいて、前記制作閲覧装置が前記制作装置と前記閲覧装置から構成され、前記チケットに前記コンテンツを制作したる前記制作閲覧装置を特定する制作識別を具備し、前記チケット解釈手段が前記認証情報を送る前記制作装置を複数の前記制作閲覧装置から前記制作識別を用いて特定し特定した前記制作装置の前記チケット管理手段に送ることを特徴とした請求項１乃至請求項３記載のコンテンツ配信システム。
【請求項５】制作装置とチケットサーバとデリバリシステムと閲覧装置とから構成されるコンテンツ配信システムにおいて、前記制作装置がチケット設定手段を具備し、前記チケットサーバがチケット管理手段を具備し、前記閲覧装置がセキュア計時手段とユーザ特定手段とチケット解釈手段と提示制御手段とを具備し、前記チケット設定手段がコンテンツｉｄと未認証タイムアウトと提示制御情報とユーザｉｄとからなるチケットを生成し、前記チケット管理手段が前記チケット設定手段の生成した前記チケットを格納し前記チケット解釈手段からの要求を受け付け前記チケットを前記チケット解釈手段に通知し、前記デリバリシステムが前記チケットを前記制作装置から前記チケットサーバに配信すると共に前記チケットを前記チケットサーバから前記閲覧装置に配信し、前記セキュア計時手段が悪意によっても改変出来ない計時情報を出力し、前記ユーザ特定手段が前記閲覧装置を使用するユーザを特定するユーザｉｄを出力し前記チケット解釈手段が前記チケット管理手段からの前記チケットと前記セキュア計時手段からの前記計時情報とを入力し提示制御情報を出力し、前記提示制御手段が前記チケット解釈手段の出力する前記提示制御情報とコンテンツとを入力し前記提示制御情報に従って提示を制限したコンテンツを変換出力する構成において、前記チケット解釈手段が最後に認証成功した時刻からの経過時間を前記計時情報から求め、前記経過時間が前記未認証タイムアウトを越えない場合にはチケットを解釈して提示制御情報を出力し、前記経過時間が前記未認証タイムアウトを越える場合には前記チケット解釈手段が前記チケット管理手段に前記ユーザｉｄを含んだ認証情報を送り、前記チケット管理手段が送られた認証情報が正しいと判断した場合には認証成功をそれ以外の場合には認証失敗を前記チケット解釈手段に返し、前記チケット管理手段が新たなチケットがあれば前記認証情報に含まれる前記ユーザｉｄに一致するチケットを選択して前記解釈手段に送り、前記チケット解釈手段が前記チケット管理手段から認証成功を送られた場合には前記経過時間を０に戻すと共に最も新しいチケットを解釈して提示制御情報を出力することを特徴としたコンテンツ配信システム。
【請求項６】制作装置とチケットサーバとデリバリシステムと閲覧装置とから構成されるコンテンツ配信システムにおいて、前記制作装置がチケット設定手段を具備し、前記チケットサーバがチケット管理手段を具備し、前記閲覧装置がセキュア計時手段とユーザ特定手段とチケット解釈手段と提示制御手段とを具備し、前記チケット設定手段がコンテンツｉｄと未認証タイムアウトと提示制御情報とユーザｉｄとからなるチケットを生成し、前記チケット管理手段が前記チケット設定手段の生成した前記チケットを格納し前記チケット解釈手段からの要求を受け付け前記チケットを前記チケット解釈手段に通知し、前記デリバリシステムが前記チケットを前記制作装置から前記チケットサーバに配信すると共に前記チケットを前記チケットサーバから前記閲覧装置に配信し、前記セキュア計時手段が悪意によっても改変出来ない計時情報を出力し、前記ユーザ特定手段が前記閲覧装置を使用するユーザを特定するユーザｉｄを出力し前記チケット解釈手段が前記チケット管理手段からの前記チケットと前記セキュア計時手段からの前記計時情報とを入力し提示制御情報を出力し、前記提示制御手段が前記チケット解釈手段の出力する前記提示制御情報とコンテンツとを入力し前記提示制御情報に従って提示を制限したコンテンツを変換出力する構成において、前記チケット解釈手段が最後に認証成功した時刻からの経過時間を前記計時情報から求め、前記経過時間が前記未認証タイムアウトを越えない場合にはチケットを解釈して提示制御情報を出力し、前記経過時間が前記未認証タイムアウトを越える場合には前記チケット解釈手段が前記チケット管理手段に前記コンテンツｉｄを含んだ認証情報を送り、前記チケット管理手段が送られた認証情報が正しいと判断した場合には認証成功をそれ以外の場合には認証失敗を前記チケット解釈手段に返し、前記チケット管理手段が新たなチケットがあれば前記認証情報に含まれる前記コンテンツｉｄに一致するチケットを選択して前記解釈手段に送り、前記チケット解釈手段が前記チケット管理手段から認証成功を送られた場合には前記経過時間を０に戻すと共に最も新しいチケットのユーザｉｄの一致する部分を解釈して提示制御情報を出力することを特徴としたコンテンツ配信システム。
【請求項７】同一の前記コンテンツに対し前記ルールが複数個数存在し、前記チケットを解釈して提示制御情報を出力する際に複数の前記ルールの全てを解釈した結果の提示制御情報の和集合を提示制御情報とすることを特徴とした請求項１乃至請求項６記載のコンテンツ配信システム。
【請求項８】ユーザｉｄを直接扱う代わりに一方向性関数を用いて変換した値を用いることを特徴とした請求項３乃至請求項６記載のコンテンツ配信システム。
【請求項９】コンテンツの配信がデジタル放送における蓄積型放送により行われ、前記デリバリシステムが通信ネットワークであることを特徴とした請求項１乃至請求項６記載のコンテンツ配信システム。
【請求項１０】前記デリバリシステムが通信ネットワークであり、コンテンツの配信が前記通信ネットワーク上のストリーミング映像配信により行われることを特徴とした請求項１乃至請求項６記載のコンテンツ配信システム。
【請求項１１】コンテンツの配信がパッケージメディアの物理的配布により行われることを特徴とした請求項１乃至請求項６記載のコンテンツ配信システム。
【請求項１２】請求項１乃至請求項１１記載のコンテンツ配信システムを実現する制作装置。
【請求項１３】請求項１乃至請求項１１記載のコンテンツ配信システムを実現する閲覧装置。
【請求項１４】コンテンツｉｄと未認証タイムアウトと提示制御情報とからなるチケットを生成する制作装置とコンテンツを閲覧する閲覧装置とチケットを制作装置から閲覧装置に配信するデリバリシステムとから構成されるコンテンツ配信システムにおいて、前記閲覧装置が最後に認証成功した時刻からの経過時間を悪意によっても改変出来ない計時情報から求めるステップと、前記閲覧装置が前記経過時間が前記未認証タイムアウトを越えない場合にはチケットを解釈して提示制御情報を出力すると共に出力された前記提示制御情報に従って提示を制限したコンテンツを変換出力するステップと、前記閲覧装置が前記経過時間が前記未認証タイムアウトを越える場合には前記制作装置に認証情報を送るステップと、前記制作装置が前記認証情報が正しいと判断した場合には認証成功をそれ以外の場合には認証失敗を前記閲覧装置に返すステップと、前記制作装置が新たなチケットがあれば前記閲覧装置に送るステップと、前記閲覧装置が認証成功を送られた場合には前記経過時間を０に戻すと共に最も新しいチケットを解釈して提示制御情報を出力すると共に出力された前記提示制御情報に従って提示を制限したコンテンツを変換出力するステップとを有することを特徴としたコンテンツ配信方法。
【請求項１５】前記認証情報にコンテンツｉｄを含んでおり、前記チケット管理手段が新たなチケットがあれば前記解釈手段に送る際に前記認証情報に含まれるコンテンツｉｄに該当するチケットを送ることを特徴とした請求項１４記載のコンテンツ配信方法。
【請求項１６】前記閲覧装置がコンテンツを閲覧するユーザを特定するユーザｉｄを保持し、前記チケットがユーザｉｄを含み、前記認証情報がユーザｉｄを含み、前記制作装置が新たなチケットがあれば前記閲覧装置に送るステップにおいて前記認証情報に含まれるユーザｉｄの値が等しい前記チケットを選択して送ることを特徴とした請求項１４乃至請求項１５記載のコンテンツ配信方法。
【請求項１７】前記デリバリシステムと複数の制作閲覧装置とを具備するコンテンツ配信システムにおいて、前記制作閲覧装置が前記制作装置と前記閲覧装置から構成され、前記チケットに前記コンテンツを制作した前記制作閲覧装置を特定する制作識別を具備し、前記認証情報を送る前記制作装置を複数の前記制作閲覧装置から前記制作識別を用いて特定し特定した前記制作装置に送ることを特徴とした請求項１４乃至請求項１６記載のコンテンツ配信方法。
【請求項１８】未認証タイムアウトとコンテンツｉｄと提示制御情報とユーザｉｄとからなるチケットを生成する制作装置とチケットを管理するチケットサーバとコンテンツを閲覧すると共にコンテンツを閲覧するユーザを特定するユーザｉｄを保持する閲覧装置とチケットを制作装置からチケットサーバに配信すると共にチケットをチケットサーバから閲覧装置に配信するデリバリシステムとから構成されるコンテンツ配信システムにおいて、前記閲覧装置が最後に認証成功した時刻からの経過時間を悪意によっても改変出来ない計時情報から求めるステップと、前記閲覧装置が前記経過時間が前記未認証タイムアウトを越えない場合にはチケットを解釈して提示制御情報を出力すると共に出力された前記提示制御情報に従って提示を制限したコンテンツを変換出力するステップと、前記閲覧装置が前記経過時間が前記未認証タイムアウトを越える場合には前記チケットサーバに前記ユーザｉｄを含んだ認証情報を前記チケットサーバに送るステップと、前記チケットサーバが前記認証情報が正しいと判断した場合には認証成功をそれ以外の場合には認証失敗を前記閲覧装置に返すステップと、前記チケットサーバが新たなチケットがあれば前記認証情報に含まれる前記ユーザｉｄに一致するチケットを選択して前記閲覧装置に送るステップと、前記閲覧装置が認証成功を送られた場合には前記経過時間を０に戻すと共に最も新しいチケットを解釈して提示制御情報を出力すると共に出力された前記提示制御情報に従って提示を制限したコンテンツを変換出力するステップとを有することを特徴としたコンテンツ配信方法。
【請求項１９】未認証タイムアウトとコンテンツｉｄと提示制御情報とユーザｉｄとからなるチケットを生成する制作装置とチケットを管理するチケットサーバとコンテンツを閲覧すると共にコンテンツを閲覧するユーザを特定するユーザｉｄを保持する閲覧装置とチケットを制作装置からチケットサーバに配信すると共にチケットをチケットサーバから閲覧装置に配信するデリバリシステムとから構成されるコンテンツ配信システムにおいて、前記閲覧装置が最後に認証成功した時刻からの経過時間を悪意によっても改変出来ない計時情報から求めるステップと、前記閲覧装置が前記経過時間が前記未認証タイムアウトを越えない場合にはチケットを解釈して提示制御情報を出力すると共に出力された前記提示制御情報に従って提示を制限したコンテンツを変換出力するステップと、前記閲覧装置が前記経過時間が前記未認証タイムアウトを越える場合には前記チケットサーバに前記コンテンツｉｄを含んだ認証情報を前記チケットサーバに送るステップと、前記チケットサーバが前記認証情報が正しいと判断した場合には認証成功をそれ以外の場合には認証失敗を前記閲覧装置に返すステップと、前記チケットサーバが新たなチケットがあれば前記認証情報に含まれる前記コンテンツｉｄに一致するチケットを選択して前記閲覧装置に送るステップと、前記閲覧装置が認証成功を送られた場合には前記経過時間を０に戻すと共に最も新しいチケットのユーザｉｄの一致する部分を解釈して提示制御情報を出力すると共に出力された前記提示制御情報に従って提示を制限したコンテンツを変換出力するステップとを有することを特徴としたコンテンツ配信方法。
【請求項２０】同一の前記コンテンツに対し前記ルールが複数個数存在し、前記チケットを解釈して提示制御情報を出力する際に複数の前記ルールの全てを解釈した結果の提示制御情報の和集合を提示制御情報とすることを特徴とした請求項１４乃至請求項１９記載のコンテンツ配信方法。
【請求項２１】ユーザｉｄを直接扱う代わりに一方向性関数を用いて変換した値を用いることを特徴とした請求項１６乃至請求項１９記載のコンテンツ配信方法。
【請求項２２】コンテンツの配信がデジタル放送における蓄積型放送により行われ、前記デリバリシステムが通信ネットワークであることを特徴とした請求項１４乃至請求項１９記載のコンテンツ配信方法。
【請求項２３】前記デリバリシステムが通信ネットワークであり、コンテンツの配信が前記通信ネットワーク上のストリーミング映像配信により行われることを特徴とした請求項１４乃至請求項１９記載のコンテンツ配信方法。
【請求項２４】コンテンツの配信がパッケージメディアの物理的配布により行われることを特徴とした請求項１４乃至請求項１９記載のコンテンツ配信方法。